(57)【要約】【課題】壁掛けとしてもスタンドとしても使用可能であり、安定性に優れ、付属部品を紛失することなく、かつ複数を連結させて使用することもできる額縁を提供する。【解決手段】ジョイント部材２０をジョイント部材固定部１４に固定した状態で、スタンド部材３０をスタンド部材取り付け部に取り付けることにより、フレーム部材１０を斜めに立て掛けて設置することができ、スタンド部材３０を、ジョイント部材２０が固定されていないジョイント部材固定部１４の位置にあるスタンド部材固定部１５に固定した状態で吊下孔２３を使用してフレーム部材１０を壁に掛けることができ、ジョイント部材２０の脚部２２を複数のフレーム部材１０のジョイント部材固定部１４に跨って係合させることにより、複数のフレーム部材１０を縦横方向に連結可能とした。【選択図】図５
2013066662.tif 000002
【特許請求の範囲】
【請求項１】
展示パネルを収納可能なフレーム部材と、
複数のフレーム部材を連結させることができるジョイント部材と、
前記フレーム部材を支持して斜めに立て掛けさせるためのスタンド部材とを備え、
前記ジョイント部材は、平板部とこの平板部から立設された２つの脚部を有する断面略コ字型に形成され、
前記フレーム部材の裏面には、ジョイント部材を固定するためのジョイント部材固定部と、スタンド部材を収納状態で固定するためのスタンド部材固定部と、スタンド部材を使用状態で固定するためのスタンド部材取り付け部とが形成され、
前記ジョイント部材固定部は、前記フレーム部材の外周辺の近傍に設けられるとともに、前記ジョイント部材の脚部と係合可能な係合部を備え、係合部として、フレーム部材の外周側に位置する外側係合部と、外側係合部よりもフレーム部材の中心側に位置する内側係合部とを備え、
前記スタンド部材固定部は、前記スタンド部材を、前記各ジョイント部材固定部の外側係合部と内側係合部の間に収納可能とする位置に設けられ、前記スタンド部材をフレーム部材の裏面に支持可能な支持部を備え、
前記スタンド部材取り付け部は、フレーム部材の少なくともいずれかの外周辺の縁部に形成され、
前記ジョイント部材をジョイント部材固定部に固定した状態で、前記スタンド部材をスタンド部材固定部に固定することができ、
前記ジョイント部材をジョイント部材固定部に固定した状態で、前記スタンド部材をスタンド部材取り付け部に取り付けることにより、フレーム部材を斜めに立て掛けて設置することができ、
前記ジョイント部材の一方の脚部を一のフレーム部材のジョイント部材固定部の係合部に係合させ、もう一方の脚部を隣接する他のフレーム部材のジョイント部材固定部の係合部に係合させることにより、複数のフレーム部材を縦横方向に連結可能としたことを特徴とする額縁。
【請求項２】
前記ジョイント部材の平板部には吊下孔が形成されており、
前記ジョイント部材固定部は、方形状のフレーム部材の四辺にそれぞれ設けられ、
前記ジョイント部材の２つの脚部を前記外側係合部及び内側係合部にそれぞれ係合させて、ジョイント部材をいずれかのジョイント部材固定部に固定するとともに、前記スタンド部材を、ジョイント部材が固定されていないジョイント部材固定部の位置にあるスタンド部材固定部に固定した状態で、前記吊下孔を使用して前記フレーム部材を壁に掛けることができるように形成されていることを特徴とする請求項１記載の額縁。
【請求項３】
前記ジョイント部材の少なくとも一方の脚部には、突出側端部から平板部に向かって切り欠かれたスリットが形成され、
前記フレーム部材の裏面角隅部には、前記ジョイント部材の脚部であって前記スリットにより分割された半分部分を挿入可能な角挿入部が形成され、
角隅部を合わせて並列配置した２つのフレーム部材の角挿入部に、前記ジョイント部材のスリットにより分割された脚部を半分ずつ挿入して前記スリットに２つのフレーム部材の周辺板を挟持させ、かつこのジョイント部材のもう一方の脚部を、前記２つのフレーム部材の角隅部にジョイント部材固定部を隣接させて配置した他の一のフレーム部材の係合部に係合させることにより、三つのフレーム部材を単一のジョイント部材で結合可能としたことを特徴とする請求項１又は２記載の額縁。
【発明の詳細な説明】
【技術分野】
【０００１】
本発明は、絵画や写真を入れて飾るための額縁に関する。
【背景技術】
【０００２】
従来、壁に掛けるだけでなく立てかけることもでき、同一形状の複数のフレームを連結可能とした額縁が知られている。例えば引用文献１には、裏面に止め溝を設けたフレームと、画鋲止め穴と複数の止め部を有する連結部材とを備え、連結部材の止め部を止め溝に挿入して固定し、画鋲で壁に止めたり、連結部材を支えにしてフレームを斜めに立て掛けたり、連結部材の止め部を２つのフレームの止め溝にそれぞれ挿入して、複数のフレームを連結することができるようにしたものが開示されている。
【先行技術文献】
【特許文献】
【０００３】
【特許文献１】特開２００４−７３７９６号公報
【発明の概要】
【発明が解決しようとする課題】
【０００４】
しかし、上記した従来の連結式フレームでは、壁掛けとして使用する場合とスタンドにして使用する場合とで、同一の連結部材を用いる構成としてあるので、特にスタンドとして使用する場合に安定性に欠けるという問題点があった。ここで、それぞれの機能を確実に果たすように、壁掛け用の部材とスタンド用の部材を別部材とするのが好ましいが、この場合には、使用していない部材が紛失しないようにすることや、複数の部材をフレーム内の限られたスペースに如何に配置するかを考慮しなければならない。
そこで、本願発明は、壁掛けとしてもスタンドとしても使用可能であるとともに、いずれとして使用する場合にも安定性に優れ、付属部品を紛失することなく、かつ複数を連結させて使用することもできる額縁を提供することを目的とする。
【課題を解決するための手段】
【０００５】
上記課題を解決するため、請求項に記載の発明は以下のような構成を有する。
なお、括弧内の符号は、発明の実施の形態において用いた符号を示し、本発明の技術的範囲を限定するものではない。
（請求項１）
請求項１記載の発明は、展示パネル(P)を収納可能なフレーム部材(10)と、複数のフレーム部材(10)を連結させることができるジョイント部材(20)と、前記フレーム部材(10)を支持して斜めに立て掛けさせるためのスタンド部材(30)とを備える額縁(1)である。前記ジョイント部材(20)は、平板部(21)とこの平板部(21)から立設された２つの脚部(22)を有する断面略コ字型に形成されている。また、前記フレーム部材(10)の裏面には、ジョイント部材(20)を固定するためのジョイント部材固定部(14)と、スタンド部材(30)を収納状態で固定するためのスタンド部材固定部(15)と、スタンド部材(30)を使用状態で固定するためのスタンド部材取り付け部(スタンド部材差込部16)とが形成されている。前記ジョイント部材固定部(14)は、前記フレーム部材(10)の外周辺の近傍に好ましくは複数個設けられるとともに、前記ジョイント部材(20)の脚部(22)と係合可能な係合部として、フレーム部材の外周側に位置する外側係合部(14A)と、外側係合部(14A)よりもフレーム部材の中心側に位置する内側係合部(14B)とを備えている。前記スタンド部材固定部(15)は、前記スタンド部材(30)を、前記各ジョイント部材固定部(14)の外側係合部(14A)と内側係合部(14B)の間に収納可能とする位置に設けられ、前記スタンド部材(30)をフレーム部材(10)の裏面に支持可能な支持部（アングル突起15A、挟持突起15B）を好ましくは複数個備え、前記スタンド部材取り付け部(16)は、フレーム部材(10)の少なくともいずれかの外周辺の縁部に形成されている。
【０００６】
ここで、展示パネル(P)は、額縁(1)を用いて飾られる絵や写真、完成したパズルなどを含む。フレーム部材(10)は、例えば方形の枠部材とすることができ、展示パネル(P)の他に、展示パネル(P)を保護するための透明カバー(40)などを収納固定可能であってもよい。
またここで、上記したジョイント部材(20)及びスタンド部材(30)は複数個設けられてもよく、これらが複数個設けられている場合には、ジョイント部材固定部(14)及びスタンド部材固定部(15)及びスタンド部材取り付け部(16)も複数個設けられる。フレーム部材(10)に設けられるジョイント部材固定部(14)及びスタンド部材固定部(15)及びスタンド部材取り付け部(16)の数は、ジョイント部材(20)及びスタンド部材(30)より多くてもよい。
【０００７】
ジョイント部材固定部(14)の「係合部」は、脚部(22)を嵌入可能な溝や挟持片とすることができ、少なくとも一方の脚部(22)と係合可能であればよい。スタンド部材固定部(15)の「支持部」は、スタンド部材(30)の外周部を支持する突片や、スタンド部材(30)に形成された凹部又は凸部と係合可能な凸部又は凹部とすることができる。スタンド部材取り付け部(16)は、スタンド部材(30)の一方の端部と接合してスタンド部材(30)をスタンド状態に固定可能なものであり、スタンド部材(30)に設けられた凹部（スリット）又は凸部と係合可能な凸部又は凹部とすることができる。スタンド部材取り付け部(16)は、フレーム部材(10)の全ての外周辺に設けられていてもよい。
【０００８】
そして、この額縁(1)は、前記ジョイント部材(20)をジョイント部材固定部(14)に固定した状態で、前記スタンド部材(30)をスタンド部材固定部(15)に固定することができ、前記ジョイント部材(20)をジョイント部材固定部(14)に固定した状態で、前記スタンド部材(30)をスタンド部材取り付け部(16)に取り付けることにより、フレーム部材(10)を斜めに立て掛けて設置することができ、前記ジョイント部材(20)の一方の脚部(22)を一のフレーム部材(10)のジョイント部材固定部(14)の係合部に係合させ、もう一方の脚部(22)を隣接する他のフレーム部材(10)のジョイント部材固定部(14)の係合部に係合させることにより、複数のフレーム部材(10)を縦横方向に連結可能としたことを特徴とする。
【０００９】
本発明においては、フレーム部材(10)の裏面に、ジョイント部材(20)とスタンド部材(30)を同時に固定することができ、この状態で、例えばフレーム部材(10)に紐を付けて壁掛けとして使用することが可能である。ジョイント部材(20)やスタンド部材(30)を使用しない時でも、フレーム部材(10)とワンセットにしておけるので、部品が紛失するおそれもない。
また、スタンド部材固定部(15)は、ジョイント部材固定部(14)と重複した位置に設けられているので、フレーム部材(10)の裏面の面積を有効利用でき、大きいサイズのスタンド部材(30)を固定することも可能となる。
【００１０】
（請求項２）
請求項２記載の発明は、上記した請求項１記載の発明の特徴点に加え、前記ジョイント部材(20)の平板部(21)には吊下孔(23)が形成されており、前記ジョイント部材固定部(14)は、方形状のフレーム部材(10)の四辺にそれぞれ設けられている。そして、前記ジョイント部材(20)の２つの脚部(22)を前記外側係合部(14A)及び内側係合部(14B)にそれぞれ係合させて、ジョイント部材(20)をいずれかのジョイント部材固定部(14)に固定するとともに、前記スタンド部材(30)を、ジョイント部材(20)が固定されていないジョイント部材固定部(14)の位置にあるスタンド部材固定部(15)に固定した状態で、前記吊下孔(23)を使用して前記フレーム部材(10)を壁に掛けることができるように形成されていることを特徴とする。
【００１１】
本発明では、ジョイント部材固定部(14)及びスタンド部材固定部(15)がそれぞれ４カ所に設けられている。
本発明によれば、ジョイント部材(20)が吊り下げ部材も兼ねるので、部品点数を節約でき、スタンド部材(30)を大型化できるので、フレーム部材(10)をスタンドとして使用する際の安定性を向上させることができる。
（請求項３）
請求項３記載の発明は、上記した請求項１又は２記載の発明の特徴点に加え、前記ジョイント部材(30)の少なくとも一方の脚部(22)には、突出側端部から平板部(21)に向かって切り欠かれたスリット(24)が形成され、前記フレーム部材(10)の裏面角隅部には、前記ジョイント部材(20)の脚部(22)であって前記スリット(24)により分割された半分部分を挿入可能な角挿入部(17)が形成され、角隅部を合わせて並列配置した２つのフレーム部材(10)の角挿入部(17)に、前記ジョイント部材(20)のスリット(24)により分割された脚部(22)を半分ずつ挿入して前記スリット(24)に２つのフレーム部材(10)の周辺板(外側リブ11B)を挟持させ、かつこのジョイント部材(20)のもう一方の脚部(22)を、前記２つのフレーム部材(10)の角隅部にジョイント部材固定部(14)を隣接させて配置した他の一のフレーム部材(10)の係合部に係合させることにより、三つのフレーム部材(10)を単一のジョイント部材(20)で結合可能としたことを特徴とする。
【００１２】
本発明は、複数の額縁(1)を互い違いに結合させることができるようにしたものである。
本発明によれば、フレーム部材(10)をただ縦横に並列させて連結するのみならず、３個のフレーム部材(10)をピラミッド形にしたり、４個のフレーム部材(10)を十字形にしたりと、連結パターンを多様化させることができる。
【発明の効果】
【００１３】
本発明は、以上のように構成されているので、壁掛けとしてもスタンドとしても使用可能であるとともに、いずれとして使用する場合にも安定性に優れ、付属部品を紛失することなく、かつ複数を連結させて使用することもできる額縁を提供することができる。
【図面の簡単な説明】
【００１４】
【図１】本発明の実施の形態であって、額縁の分解斜視図である。
【図２】フレーム部材の正面図及び背面図である。
【図３】ジョイント部材の斜視図である。
【図４】スタンド部材の斜視図である。
【図５】フレーム部材にジョイント部材及びスタンド部材を固定した背面図である。
【図６】図５のVI−VI線断面図である。
【図７】額縁を壁掛けにする場合のジョイント部材の取り付け図である。
【図８】額縁をスタンドにする場合のスタンド部材の取り付け図である。
【図９】スタンドにした額縁の部分縦断面図である。
【図１０】額縁を連結する場合のジョイント部材の取り付け図である。
【図１１】額縁の連結方法を示す図である。
【図１２】連結した額縁の背面図である。
【図１３】図１２のXIII−XIII線断面図である。
【図１４】ジョイント部材の変形例を示す斜視図である。
【図１５】変形例によるジョイント部材で連結した額縁の背面図である。
【図１６】変形例による額縁の連結方法を示す図である。
【発明を実施するための形態】
【００１５】
本発明の好適な実施の形態を、図面に基づき説明する。
（額縁１）
本実施の実施の形態に係る額縁１は、図１に示すように、方形枠状のフレーム部材10と、透明カバー40を備え、フレーム部材10に収納した展示パネルＰを透明カバー40でカバーするように形成されている。ここで、展示パネルＰには、写真や絵画の他に、完成したジグソーパズルなども含まれる。また、透明カバー40は、可撓性を有する透明なプラスチックフィルムなどにより形成され、四方の隅角部に設けられた差込片41をフレーム部材10のカバー差込部13に差し込んで、フレーム部材10に固定できるようになっている。
【００１６】
さらに、フレーム部材10には、額縁１を壁掛けとして使用可能とするとともに、複数の額縁１を連結させるためのジョイント部材20と、額縁１を斜めに立て掛けて設置する場合に用いるスタンド部材30が取り付けられている。ジョイント部材20及びスタンド部材30は、フレーム部材10とは別に形成された部材であって、フレーム部材10の所定の場所に着脱自在に固定されているものである。
（フレーム部材10）
フレーム部材10は、図１及び図２に示すように、枠の外形を成す外周枠11と、仕切板12を備えている。ここで、図２（Ａ）はフレーム部材10の正面図、図２（Ｂ）はフレーム部材10の背面図、図２（Ｃ）は図２（Ａ）のＣ−Ｃ線断面図である。
【００１７】
外周枠11は、図２（Ｃ）に示すように、正面側に位置する正面板11Aと、正面板11Aから背面側に向けて突設された外側リブ11B及び内側リブ11Cを有する断面略コ字型に形成されている。ここで、「外側」とは、フレーム部材10を正面視又は背面視したときの上下左右の外周側のことをいい、「内側」とは、フレーム部材10の中心側のことをいうものである。そして、内側リブ11Cにより囲まれた方形の空間部内に、仕切板12が設けられている。仕切板12は、内側リブ11Cの奥行幅の中間よりもやや正面寄りに設けられ、仕切板12の正面12Aと内側リブ11Cにより、フレーム部材10の正面には外周枠11の正面板11Aから一段凹んだ正面凹部10Aが形成されている。そして、この正面凹部10Aに、展示パネルＰ及び透明シート40を嵌め入れることができるようになっている。また、図２（Ｂ）（Ｃ）に示すように、内側リブ11Cの隅角部を切り欠くことにより、正面凹部10Aの四隅が、フレーム部材10の裏側と連通するようになっており、この連通部がカバー差込部13となっている。
【００１８】
一方、フレーム部材10の裏面は、外側リブ11B及び内側リブ11Cにより、外周枠11の周囲を巡る溝部が形成されているとともに、仕切板12の裏面12Bと内側リブ11Cにより、内側リブ11Cの端部から一段凹んだ裏面凹部10Bが形成されている。そして、裏面凹部10Bには、図２（Ｂ）に示すように、ジョイント部材20を固定するためのジョイント部材固定部14と、スタンド部材30を収納固定するためのスタンド部材固定部15とが設けられ、周囲の溝部には、額縁１をスタンドにして使用する際にスタンド部材30を取り付けるためのスタンド部材差込部16が設けられている。
ジョイント部材固定部14は、フレーム部材10の四辺の縁部近傍にそれぞれ一カ所ずつ設けられており、外周枠11の内側リブ11Cに添って形成された外側嵌入部14Aと、仕切板12の裏面12Bにおいて内側リブ11Cよりもフレーム部材10の中心側の位置に、前記外側嵌入部14Aと対向するように設けられた内側嵌入部14Bを備えている。外側嵌入部14Aは、内側リブ11Cの内側に形成された平板状の突設片と内側リブ11Cとの間のスリットである。また、内側嵌入部14Bは、仕切板12の裏面12Bに突設された平板状の突出片とその内側に設けられた半円板状の突出片の間の隙間である。
【００１９】
前記スタンド部材固定部15は、前記ジョイント部材固定部14の外側嵌入部14Aと内側嵌入部14Bの間にスタンド部材30を収納可能とするものであって、仕切板12の裏面12Bに突設されたアングル突起15A及び挟持突起15Bを備えている。すなわち、スタンド部材固定部15も、フレーム部材10の四辺の縁部近傍にそれぞれ一カ所ずつ設けられている。また、アングル突起15A及び挟持突起15Bは、外側嵌入部14Aが上側となり内側嵌入部14Bが下側の位置となるようにジョイント部材固定部14を見たときに、アングル突起15Aが向かって右側に位置し、挟持突起15Bが向かって左側に位置するようになっている。そして、アングル突起15Aと挟持突起15B及び外側嵌入部14Aと内側嵌入部14Bにより囲まれる空間は、スタンド部材30が収納固定される収納部15Cを構成する。
【００２０】
前記スタンド部材差込部16は、外側リブ11Bと内側リブ11Cにより形成される溝部に設けられた方形の開口部であり、外側嵌入部14Aの両側の位置に配置されている。すなわち、スタンド部材差込部16は、フレーム部材10の縁部にそれぞれ二カ所ずつ設けられている。
（ジョイント部材20）
ジョイント部材20は、図３に示すように、平板部21と、この平板部21の対向する二辺端部を直角に折り曲げて形成した脚部22を備えた断面略コ字型の部材である。平板部21には、釘などに引っ掛けるための吊下孔23が形成されている。吊下孔23は、大小２つの円が組み合わされたダルマ型の開口部であり、大径の開口部にビスや釘などの頭部を差し込んでから、小径の開口部にそれらの軸部を引っ掛けることができるようになっている。
【００２１】
そして、ジョイント部材20は、一つのフレーム部材10につき２個ずつ設けられており、額縁１の未使用状態（工場出荷時又は販売時）においては、図５及び図６に示すように、いずれかのジョイント部材固定部14の外側嵌入部14Aに一方の脚部22を、内側嵌入部14Bにもう一方の脚部22を嵌め入れて、フレーム部材10に固定されるようになっている。
（スタンド部材30）
スタンド部材30は、図４に示すように、水平面に設置する底部31を有する側面視略楔形の部材であり、使用状態においてスタンド部材差込部16に差し込まれる前端部35から、
前端部35の反対側の端部である後端部32に向かって高さが低くなるように形成されている。そして、前端部35には、前方（前端部35の方向）及び側方（前方と直交する方向）に開放するスリット34が設けられており、スリット34の上側（底部31を下側にしたときの上側）は、スタンド部材差込部16に差し込み可能な差込部33となっている。
【００２２】
そして、スタンド部材30は、一つのフレーム部材10につき２個ずつ設けられており、額縁１の未使用状態（工場出荷時又は販売時）においては、図５に示すように、いずれかのスタンド部材固定部15のアングル突起15Aに後端部32の下端部（底部31を下側にしたときの下側の端部）を支持させ、スリット34に挟持突起15Bを嵌め入れて、収納部15Cに収納されフレーム部材10に固定されるようになっている。
なお、スタンド部材30の厚さ寸法は、フレーム部材10の裏面凹部10Bの深さとほぼ同じに形成されているため、スタンド部材固定部15に収納固定した状態で、外周枠11の背面側端部とほぼ面一となる。
【００２３】
（額縁１の使用方法）
上記構成を有する額縁１の使用方法について説明する。
まず、額縁１を壁掛けとして使用する場合には、図７に示すように、フレーム部材10のいずれかの辺に設けられたジョイント部材固定部14にジョイント部材20を固定して、吊下孔23を釘などに引っ掛ける。なお、図７では、フレーム部材10の短辺に形成されたジョイント部材固定部14にジョイント部材20を固定して、フレーム部材10を縦長にして使用しているが、図５に示すように、フレーム部材10の長辺に形成されたジョイント部材固定部14にジョイント部材20を固定して、フレーム部材10を横長にして使用することもできる。また、図７では記載を省略しているが、もう１個のジョイント部材20や２個のスタンド部材30を、それぞれの固定部に固定しておくことができる。すなわち、使用しないジョイント部材20やスタンド部材30をフレーム部材10とひとまとめにしておくことができるので、各部材が紛失することがない。
【００２４】
次に、額縁１をスタンドとして使用する場合には、まず、図８に示すように、フレーム部材10のいずれかの辺に設けられた並列するスタンド部材差込部16に２個のスタンド部材30をそれぞれ嵌め込んで固定する。そして、図９に示すように、スタンド部材30を設置面に載置することにより、フレーム部材10が正面を斜め上向きにした状態で支持されるようになっている。
具体的には、図９に示すように、スタンド部材30は、差込部33をスタンド部材差込部16に差し込み、スリット34に外周枠11の外側リブ11Bを嵌め入れることにより、フレーム部材10に固定することができる。ここで、スリット34は、底部31に対して斜めに形成されているため、底部31を水平面に設置すると、差込部33とスリット34に挟持される外側リブ11Bは、後端部よりも前端部が高位となる。このため、フレーム部材10は、正面が前方から後方に向かって上り傾斜する方向に傾いた状態で、スタンド部材30に支持される。すなわち、フレーム部材10は、２個のスタンド部材30に下端部を挟持され、後方に傾いた状態で起立姿勢を保つようになっている。なお、図８、図９では、フレーム部材10の短辺に形成されたスタンド部材差込部16にスタンド部材30を固定して、フレーム部材10を縦長にして立たせているが、フレーム部材10の長辺に形成されたスタンド部材差込部16にスタンド部材30を固定して、フレーム部材10を横長にして立たせることもできる。また、図８では記載を省略しているが、２個のジョイント部材20は、適当な箇所のジョイント部材固定部14に固定しておくことができる。
【００２５】
さらに、この額縁１は、図１０に示すように、ジョイント部材20を２個の額縁１のフレーム部材10に跨って固定することにより、複数個を連結することができる。具体的には、外周枠11の外側リブ11Bの長辺どうし、又は短辺どうし（図１１（Ａ）参照）を当接させた２個のフレーム部材10の、当接している辺に設けられたジョイント部材固定部14の外側嵌入部14Aに、ジョイント部材20の脚部22をそれぞれ嵌入する（図１３参照）。同様にして、図１２に示すように、４個の額縁１を連結することもできる。すなわち、長辺どうしを当接させて連結した２個の額縁１を２組、短辺どうしを当接させてさらに上下に連結させればよい。そして、額縁１の連結のしかたは、図１１（Ａ）〜（Ｄ）に示すように、種々の態様とすることができる。もちろん、連結させる額縁１の個数や並べ方は、図示したものに限られない。連結させた複数の額縁１は、壁掛けにしてもよいし、スタンドにしてもよい。例えば、図１２のように４個の額縁１を連結させた場合、上方に位置する２つの額縁１の、上側のジョイント部材固定部14に固定された２個のジョイント部材20を、それぞれ釘などに引っ掛けて壁掛けにすることができる。また、下方に位置する２つの額縁１の、下側のスタンド部材差込部16に、それぞれ２個ずつのスタンド部材30を固定して、スタンドにすることができる。なお、スタンドとして使用できるのは、連結したフレーム部材10の高さが、スタンド部材30により安定して支持可能な高さである場合に限られる。
【００２６】
（変形例）
本実施の形態おける額縁１は、３個のフレーム部材10を単一のジョイント部材20で固定可能とすることができる。
すなわち、図１４に示すように、ジョイント部材20の少なくとも一方の脚部22に、脚部22の端部から平板部21の裏面に達するスリット24を形成する。スリット24は、脚部22の長さ方向の中央部に設けられ、脚部22はスリット24により二分割されたかたちとなっている。そして、このジョイント部材20は、図１５（Ａ）に示すように、長辺どうしを当接させて連結した２個の額縁１の短辺（図示した例では上側の短辺）に、当接部分がその短辺の中央に位置するように３個目の額縁１を設置し、３個の額縁１の当接面により形成されるＴ字型の接合部の中央に固定される。
【００２７】
具体的には、ジョイント部材20の一方（図面上では上側）の脚部22は、上側に配置された額縁１の下側のジョイント部材固定部14の外側嵌入部14Aに嵌入する。そして、もう一方の脚部22、すなわちスリット24が形成された脚部22は、並列して配置されている２個の額縁１の裏面隅角部に形成された、スタンド部材差込部16と隣接する空間部である角挿入部17に、半分ずつ嵌入する。このとき、図１５（Ｂ）に示すように、スリット24は、並列している２個の額縁１のそれぞれの外側リブ11Bを挟持している。これにより、単一のジョイント部材20によって、３個の額縁１が連結されたものとなる。
このように形成した場合には、図１６（Ａ）（Ｂ）に示すように、３個の額縁１を段違いに連結することができるとともに、図１６（Ｃ）（Ｄ）に示すように、４個の額縁１を十字形になるように連結することもできる。もちろん、連結態様は図示したものに限られない。
【００２８】
（総括）
このように、本実施の形態によれば、額縁１を壁掛けとして使用する場合にはジョイント部材20を用い、スタンドとして使用する場合にはスタンド部材30を用いるようにし、フレーム部材10にはそれぞれの部材を収納固定する固定部が設けられている。そして、額縁１をスタンドとして使用する際には、ジョイント部材20はそのままにしておくことができ、壁掛けとして使用する際には、スタンド部材30をフレーム部材10の裏面に収納しておくことができるので、付属部品を紛失することもない。
ジョイント部材20は、複数の額縁１を連結する際にも使用するが、断面コ字型の板部材としてあるので、着脱を繰り返しても強度的に問題ない。スタンド部材30は、スタンド部材固定部15に固定した状態でフレーム部材10の裏面凹部10Bに埋め込まれるようになっているので、額縁１を壁掛けとして使用する際に邪魔にならない。
【００２９】
また、スタンド部材固定部15とジョイント部材固定部14は、フレーム部材10の裏面の同一箇所に形成されており、ジョイント部材20とスタンド部材30を重ねて収納することもできる。このように、フレーム部材10の裏面を有効的に活用しているので、比較的大きいサイズのスタンド部材30であっても複数個、フレーム部材10の裏面に収納でき、このスタンド部材30を用いて額縁１をスタンドとして使用する際の安定性を高めることができる。
そして、変形例で説明したように、ジョイント部材20の脚部22にスリット24を設けることにより、複数の額縁１の連結態様のバリエーションを増やすことができ、様々な配置のパターンで展示パネルＰを展示することができる。
【００３０】
なお、額縁１は、四角形のものに限られず、六角形や八角形としてもよい。複数を連結可能とする連結面があれば、湾曲辺を有していてもよい。
また、ジョイント部材20には、吊下孔23が形成されていないものが含まれていてもよい。すなわち、１個のフレーム部材10について、吊下孔23が形成されたジョイント部材20と、吊下穴23を有しない純粋にジョイントするためのジョイント部材20を１個ずつ設けるようにしてもよい。
また、ジョイント部材固定部14は、ジョイント部材20の２つの脚部22をそれぞれ嵌入させる形状のものに限られず、少なくとも一方の脚部22と係合してジョイント部材20をフレーム部材10に固定可能とするものであればよい。
【００３１】
さらに、スタンド部材30は、１個のフレーム部材10について１個だけ設けるようにしてもよい。また、スタンド部材固定部15は突起に限られず、スタンド部材30に設けられた凸部と係合可能な凹部としてもよい。スタンド部材30をフレーム部材10に支持固定できれば、どのような形態であってもかまわない。
【符号の説明】
【００３２】
１  額縁                          Ｐ  展示パネル
10  フレーム部材                  11  外周枠
11A  正面板                       11B  外側リブ
11C  内側リブ
12  仕切板      12A  正面        12B  裏面
13  カバー差込部
14  ジョイント部材固定部         14A  外側嵌入部（係合部）
14B  内側嵌入部（係合部）
15  スタンド部材固定部           15A  アングル突起（支持部）
15B  挟持突起（支持部）           15C  収納部
16  スタンド部材差込部（スタンド部材取り付け部）
17  角挿入部
20  ジョイント部材                21  平板部
22  脚部                          23  吊下孔
24  スリット
30  スタンド部材                  31  底部
32  後端部                        33  差込部
34  スリット                      35  前端部
40  透明カバー                    41  差込片
【図１】
2013066662.tif 000003
【図２】
2013066662.tif 000004
【図３】
2013066662.tif 000005
【図４】
2013066662.tif 000006
【図５】
2013066662.tif 000007
【図６】
2013066662.tif 000008
【図７】
2013066662.tif 000009
【図８】
2013066662.tif 000010
【図９】
2013066662.tif 000011
【図１０】
2013066662.tif 000012
【図１１】
2013066662.tif 000013
【図１２】
2013066662.tif 000014
【図１３】
2013066662.tif 000015
【図１４】
2013066662.tif 000016
【図１５】
2013066662.tif 000017
【図１６】
2013066662.tif 000018